(57)【特許請求の範囲】
【請求項１】
書換え可能な記録媒体に、予め登録された複数の登録ユーザの指示により録画データを記録し、記録された録画データを再生する録画再生装置であって、
前記複数の登録ユーザのうちの１人を特定ユーザとして特定する特定手段と、
前記記録媒体への記録における、前記複数の登録ユーザそれぞれに対応づけられた最大録画可能時間と前記複数の登録ユーザに対応付けられていない未割り当て時間とを設定し、各前記最大録画可能時間及び前記未割り当て時間を管理する録画時間管理手段と、
前記特定ユーザからの、予約録画と手動録画とを含む録画指示と、再生指示又は削除指示と、を含む操作指示を受け付ける指示受付手段と、
受け付けた前記録画指示に従って、前記録画データに前記特定ユーザを識別する識別子を付加して前記記録媒体へ記録する録画制御手段と、
前記記録媒体に記録された前記録画データのうち、前記特定ユーザを識別する識別子と一致する識別子が付加された録画データに限り、受け付けた前記再生指示又は削除指示に応じて当該録画データの再生又は削除を許可するアクセス許可手段と、を備え、
前記録画制御手段は、前記特定ユーザから受け付けた前記録画指示が前記手動録画の場合に、前記記録媒体への記録を開始した後に前記最大録画可能時間を超過しても、前記未割り当て時間の範囲内に限り、当該記録を継続することを特徴とする録画再生装置。
【請求項２】
前記操作指示は、更に前記最大録画可能時間を増加又は減少させる増減指示を含み、
前記指示受付手段は、前記特定ユーザに対応付けられた前記最大録画可能時間について、前記特定ユーザからの前記増減指示を受け付け、
前記録画時間管理手段は、前記増減指示が増加の場合に、前記最大録画時間を前記未割り当ての時間の範囲内で増加させることを特徴とする請求項１に記載の録画再生装置。
【請求項３】
書換え可能な記録媒体に、予め登録された複数の登録ユーザの指示により録画データを記録し、記録された録画データを再生する録画再生装置のアクセス制限方法であって、
前記複数の登録ユーザのうちの１人を特定ユーザとして特定する特定ステップと、
前記記録媒体への記録における、前記複数の登録ユーザそれぞれに対応づけられた最大録画可能時間と前記複数の登録ユーザに対応付けられていない未割り当て時間とを設定し、各前記最大録画可能時間及び前記未割り当て時間を管理する録画時間管理ステップと、
前記特定ユーザからの、予約録画と手動録画とを含む録画指示と、再生指示又は削除指示と、を含む操作指示を受け付ける指示受付ステップと、
受け付けた前記録画指示に従って、前記録画データに前記特定ユーザを識別する識別子を付加して前記記録媒体へ記録する録画制御ステップと、
前記記録媒体に記録された前記録画データのうち、前記特定ユーザを識別する識別子と一致する識別子が付加された録画データに限り、受け付けた前記再生指示又は削除指示に応じて当該録画データの再生又は削除を許可するアクセス許可ステップと、を備え、
前記録画制御ステップは、前記特定ユーザから受け付けた前記録画指示が前記手動録画の場合に、前記記録媒体への記録を開始した後に前記最大録画可能時間を超過しても、前記未割り当て時間の範囲内に限り、当該記録を継続することを特徴とするアクセス制限方法。
【請求項４】
前記操作指示は、更に前記最大録画可能時間を増加又は減少させる増減指示を含み、
前記指示受付ステップは、前記特定ユーザに対応付けられた前記最大録画可能時間について、前記特定ユーザからの前記増減指示を受け付け、
前記録画時間管理ステップは、前記増減指示が増加の場合に、前記最大録画時間を前記未割り当ての時間の範囲内で増加させることを特徴とする請求項３に記載のアクセス制限方法。
【発明の詳細な説明】
【技術分野】
【０００１】
この発明は、録画再生装置、および、アクセス制限方法に関する。
【背景技術】
【０００２】
近年、ハードディスクレコーダやＤＶＤ（Digital Versatile Disk）レコーダと呼ばれる録画再生装置が普及してきている。この録画再生装置は、ハードディスクやＤＶＤに、放送番組（映像音声データ）を録画して再生するため、ビデオテープを使用する従来のビデオ装置と比べて、ユーザの使い勝手が格段に向上している。
例えば、録画再生装置では、録画が終了し、その録画データを再生しようとする際に、ビデオテープのような巻き戻しが不要であり、すぐさま視聴することができる。また、ハードディスクに録画する場合等では、録画中に別の録画データを再生したり、また、録画途中の録画データですら適宜再生することができる。
【０００３】
また、ＣＳ（Communication Satellite），ＢＳ（Broadcasting Satellite）放送のデジタル化、及び、地上波放送のデジタル化に伴い、専用のＩＲＤ（Integrated Receiver and Decoder）装置が種々開発されている。そして、ハードディスク等が搭載されたＩＲＤ装置も開発され、デジタル放送番組を録画できるようになっている。このようなＩＲＤ装置も、デジタル放送の録画に特化した録画再生装置と言える。
なお、外出先等の遠隔地から、録画予約をすることができる録画機能付きの放送受信装置の技術も開示されている（例えば、特許文献１参照）。
【特許文献１】特開２００４−９６３９３公報  （第５−９頁、第１図）
【発明の開示】
【発明が解決しようとする課題】
【０００４】
このような録画再生装置は、１人のユーザによって単独で使用されることもあるが、一般に、複数のユーザによって共同で使用されることが多い。例えば、家族全員が１台の録画再生装置を使用する場合等である。
この場合、録画再生装置の録画領域（ハードディスク等）が共有され、各ユーザが全ての録画データにアクセスできるため、他のユーザが大切に保存していた録画データを誤って削除してしまったり、また、子供などに見せたくない録画データを子供が再生できてしまうなど、不都合が生じていた。
また、ハードディスク等の記録容量内であれば、各ユーザが好きなだけ録画できるため、あるユーザの録画頻度や録画時間が多くなり記録容量を使いすぎると、別のユーザが録画しようとする際に残量が足りなくなり、録画が行えないこともあった。
【０００５】
そのため、複数のユーザによって共同で使用される場合には、各ユーザの使用内容を適切に制限する必要があった。
本発明は、上記実状に鑑みてなされたもので、複数のユーザによって共同で使用される場合に、各ユーザの使用内容を適切に制限することのできる録画再生装置、および、アクセス制限方法を提供することを目的とする。
【課題を解決するための手段】
【０００６】
上記目的を達成するため、本発明の第１の観点に係る録画再生装置は、
書換え可能な記録媒体に、予め登録された複数の登録ユーザの指示により録画データを記録し、記録された録画データを再生する録画再生装置であって、
前記複数の登録ユーザのうちの１人を特定ユーザとして特定する特定手段と、
前記記録媒体への記録における、前記複数の登録ユーザそれぞれに対応づけられた最大録画可能時間と前記複数の登録ユーザに対応付けられていない未割り当て時間とを設定し、各前記最大録画可能時間及び前記未割り当て時間を管理する録画時間管理手段と、
前記特定ユーザからの、予約録画と手動録画とを含む録画指示と、再生指示又は削除指示と、を含む操作指示を受け付ける指示受付手段と、
受け付けた前記録画指示に従って、前記録画データに前記特定ユーザを識別する識別子を付加して前記記録媒体へ記録する録画制御手段と、
前記記録媒体に記録された前記録画データのうち、前記特定ユーザを識別する識別子と一致する識別子が付加された録画データに限り、受け付けた前記再生指示又は削除指示に応じて当該録画データの再生又は削除を許可するアクセス許可手段と、を備え、
前記録画制御手段は、前記特定ユーザから受け付けた前記録画指示が前記手動録画の場合に、前記記録媒体への記録を開始した後に前記最大録画可能時間を超過しても、前記未割り当て時間の範囲内に限り、当該記録を継続することを特徴とする。
【０００７】
前記操作指示は、更に前記最大録画可能時間を増加又は減少させる増減指示を含み、
前記指示受付手段は、前記特定ユーザに対応付けられた前記最大録画可能時間について、前記特定ユーザからの前記増減指示を受け付け、
前記録画時間管理手段は、前記増減指示が増加の場合に、前記最大録画時間を前記未割り当ての時間の範囲内で増加させてもよい。
【０００８】
上記目的を達成するため、本発明の第２の観点に係るアクセス制限方法は、
書換え可能な記録媒体に、予め登録された複数の登録ユーザの指示により録画データを記録し、記録された録画データを再生する録画再生装置のアクセス制限方法であって、
前記複数の登録ユーザのうちの１人を特定ユーザとして特定する特定ステップと、
前記記録媒体への記録における、前記複数の登録ユーザそれぞれに対応づけられた最大録画可能時間と前記複数の登録ユーザに対応付けられていない未割り当て時間とを設定し、各前記最大録画可能時間及び前記未割り当て時間を管理する録画時間管理ステップと、
前記特定ユーザからの、予約録画と手動録画とを含む録画指示と、再生指示又は削除指示と、を含む操作指示を受け付ける指示受付ステップと、
受け付けた前記録画指示に従って、前記録画データに前記特定ユーザを識別する識別子を付加して前記記録媒体へ記録する録画制御ステップと、
前記記録媒体に記録された前記録画データのうち、前記特定ユーザを識別する識別子と一致する識別子が付加された録画データに限り、受け付けた前記再生指示又は削除指示に応じて当該録画データの再生又は削除を許可するアクセス許可ステップと、を備え、
前記録画制御ステップは、前記特定ユーザから受け付けた前記録画指示が前記手動録画の場合に、前記記録媒体への記録を開始した後に前記最大録画可能時間を超過しても、前記未割り当て時間の範囲内に限り、当該記録を継続することを特徴とする。
【０００９】
前記操作指示は、更に前記最大録画可能時間を増加又は減少させる増減指示を含み、
前記指示受付ステップは、前記特定ユーザに対応付けられた前記最大録画可能時間について、前記特定ユーザからの前記増減指示を受け付け、
前記録画時間管理ステップは、前記増減指示が増加の場合に、前記最大録画時間を前記未割り当ての時間の範囲内で増加させてもよい。
【発明の効果】
【００１１】
本発明によれば、複数のユーザによって共同で使用される場合に、各ユーザの使用内容を適切に制限することができる。
【発明を実施するための最良の形態】
【００１２】
本発明の実施の形態にかかる録画再生装置について、以下図面を参照して説明する。なお、一例として、家庭内においてこの録画再生装置が使用される場合、つまり、複数のユーザによって、共同で使用される場合について説明する。
【００１３】
図１は、この発明の実施形態に適用される録画再生装置の構成の一例を示す模式図である。
図示するように、この録画再生装置は、アナログＴＶチューナ１１と、Ａ／Ｄコンバータ兼Ｖｉｄｅｏデコーダ１２と、ＭＰＥＧエンコーダ１３と、ＳＤＲＡＭ１４と、デジタルＲＦ２１と、チャンネルデコーダ２２と、ＨＤＤ３１と、ＤＶＤレコーダ３２と、システムＬＳＩ４０と、操作部５１と、表示部５２と、ＶＩＤＥＯエンコーダ６１と、ＶＩＤＥＯアンプ６２と、ＶｉｄｅｏＯｕｔ６３と、Ｄ／Ａコンバータ７１と、ＡＵＤＩＯアンプ７２と、ＡｕｄｉｏＯｕｔ７３とから構成される。
【００１４】
アナログＴＶチューナ１１は、アナログ信号で送信される放送番組を所定のアンテナを介して受信する。具体的には、指定された任意のチャンネルの映像音声信号を受信して、Ａ／Ｄコンバータ兼Ｖｉｄｅｏデコーダ１２に供給する。
【００１５】
Ａ／Ｄ（Analog to Digital）コンバータ兼Ｖｉｄｅｏデコーダ１２は、アナログの映像音声信号からビデオデータ（映像音声データ）を復号する。すなわち、Ａ／Ｄコンバータ兼Ｖｉｄｅｏデコーダ１２は、アナログＴＶチューナ１１から供給されたアナログ信号をデジタル変換すると共にデコードして、ビデオデータを復号する。そして、復号したビデオデータをＭＰＥＧエンコーダ１３に供給する。
【００１６】
ＭＰＥＧ（Motion Picture Experts Group）エンコーダ１３は、ビデオデータをＭＰＥＧ規格（例えば、ＭＰＥＧ２規格）で圧縮する。具体的には、ＳＤＲＡＭ１４にビデオデータを格納しながら、リアルタイムでＭＰＥＧ２規格に沿ってエンコードし、システムＬＳＩ４０に供給する。
【００１７】
ＳＤＲＡＭ（Synchronous Dynamic Random Access Memory）１４は、供給されるクロックに同期して高速に動作する所定容量のメモリであり、ＭＰＥＧエンコーダ１３がエンコードするためのビデオデータを一時的に記憶する。
【００１８】
デジタルＲＦ（Radio Frequency）２１は、例えば、地上波デジタル放送に対応したチューナ回路等からなり、所定のアンテナを介して受信した放送番組（デジタル信号）をチャンネルデコーダ２２に供給する。
【００１９】
チャンネルデコーダ２２は、デジタルＲＦ２１から供給されるデジタル信号からストリームデータ（例えば、ＭＰＥＧ２トランスポートストリーム）を復号して、システムＬＳＩ４０に供給する。
【００２０】
ＨＤＤ（Hard Disk Drive）３１は、所定記憶容量の磁気ディスクであり、システムＬＳＩ４０に制御され、録画データ（映像音声データ）を記録し、そして適宜読み出す。
より詳細には、ＨＤＤ３１は、録画時に、図２に示すような、ユーザの識別子が付加された録画データを記録する。すなわち、実際に録画を指示したユーザ、つまり、録画データの持ち主となるユーザを識別するための識別子が、各録画データにそれぞれ付加されて格納される。
そして、録画データにアクセスする際には、この識別子が参照され、同じユーザ（識別子が一致したユーザ）からの操作指示に限ってアクセスが許される。
【００２１】
ＤＶＤレコーダ３２は、装填された所定規格のディスク（例えば、ＤＶＤ−Ｒ，ＤＶＤ＋Ｒ，ＤＶＤ−ＲＷ，ＤＶＤ＋ＲＷ，ＤＶＤ−ＲＡＭ等）に対してデータの読み書きが可能であり、システムＬＳＩ４０に制御され、録画データをそのディスクに記録し、そして適宜読み出す。
なお、ＤＶＤレコーダ３２でも、上述した図２に示すような、ユーザの識別子が付加された録画データをディスクに記録する。
【００２２】
システムＬＳＩ（Large Scale Integration）４０は、録画再生装置全体を制御する。より詳細に説明すると、システムＬＳＩ４０は、ＡＴＡインタフェース４１と、ＣＰＵ４２と、ＭＰＥＧ２デコーダ４３と、ストリームプロセッサ４４と、ＲＡＭ４５と、ＯＳＤ４６とを含んで構成される。
【００２３】
ＡＴＡ（AT Attachment）インタフェース４１は、ＡＴＡ（ＩＤＥ）の規格に沿って、上述したＨＤＤ３１及びＤＶＤレコーダ３２とのデータ伝送を中継する。
ＣＰＵ（Central Processing Unit）４２は、システムＬＳＩ４０の中核をなし、図示せぬＲＯＭ（Read Only Memory）等に記憶されたプログラムを実行し、システムＬＳＩ４０を機能させる。
【００２４】
ＭＰＥＧ２デコーダ４３は、例えば、ＭＰＥＧ２規格にエンコードされたビデオデータ（録画データ等）から映像音声データを復号する。
ストリームプロセッサ４４は、例えば、チャンネルデコーダ２２から供給されるストリームデータに対して、ＣＳＳ（Content Scrambling System）やＣＰＲＭ（Content Protection for Recordable Media）等のストリーム処理を行う。また、ストリームデータを録画データとしてＨＤＤ３１等に記録するための処理も行う。
【００２５】
ＲＡＭ（Random Access Memory）４５は、各ユーザを管理するために必要な情報を記憶する。
例えば、ＲＡＭ４５は、各ユーザに対応して、ユーザ名、パスワード、識別子、及び、録画ビットレート等の情報を記憶する。ユーザ名及びパスワードは、ユーザの認証に使用される。識別子は、録画の際に録画データに付加され、そして、録画データへのアクセス時に付加されたものと比較される。録画ビットレートは、録画時に参照され、指定されたビットレートにて録画データが生成され記録される。
また、ＲＡＭ４５は、ＨＤＤ３１への録画用に、各ユーザに割り当てられた録画可能時間を管理するための情報も記憶する。
例えば、ＲＡＭ４５は、図３（ａ）に示すように、ユーザ毎の最大録画可能時間を記憶する。これらの最大録画可能時間は、ＨＤＤ３１の記憶容量の範囲内で、各ユーザの要求等に応じて適宜割り当てられる。そして、割り当ての残りがある場合には、未割り当て時間として管理される。
なお、各ユーザは、自己の最大録画可能時間の範囲内で、ＨＤＤ３１に録画データを記録できる。つまり、図３（ｂ）に示すように、最大録画可能時間の範囲内で、複数の録画データを記録でき、各録画データの合計時間（ビットレートが考慮され適宜算出される）が録画済時間となり、また、空き（未使用分）が残り録画可能時間となる。
この他にも、ＲＡＭ４５は、後述するログイン画面やユーザ管理メニュー画面等をシステムＬＳＩ４０が作成する際に必要となる種々の情報も記憶している。
【００２６】
ＯＳＤ（On Screen Display）４６は、所定の表示用の画像（画面）を生成し、ＶＩＤＥＯエンコーダ６１等を通じてテレビモニタに表示させる。例えば、ＯＳＤ４６は、後述するようなログイン画面やユーザ管理メニュー画面等を生成する。
【００２７】
このような構成のシステムＬＳＩ４０は、最初に、ユーザに対してユーザ名及びパスワードを要求し（後述するログイン画面）、操作部５１からユーザ名及びパスワードが入力されると、ＲＡＭ４５に記憶しているユーザ名及びパスワードの組と比較して、ユーザを認証する。
また、録画動作時に、システムＬＳＩ４０は、ＭＰＥＧエンコーダ１３等から供給されるビデオデータをＨＤＤ３１やＤＶＤレコーダ３２に供給し、録画データとして記録する。その際、システムＬＳＩ４０は、録画を指示した（認証した）ユーザの識別子を録画データに付加する。
なお、ＨＤＤ３１へ録画する際には、ＲＡＭ４５に記憶している最大録画可能時間を参照し、そのユーザの録画データの合計が最大録画可能時間を越えないように制御する。
また、再生動作時や削除動作時に、システムＬＳＩ４０は、対象の録画データに、指示した（認証した）ユーザの識別子と一致する識別子が付加されている場合に限り、その録画データへのアクセスを許可する。
【００２８】
操作部５１は、例えば、録画再生装置の前面等に配置された操作キーや、録画再生装置に赤外線等の信号を送信するリモコン等からなり、ユーザの操作に応じた指示信号をシステムＬＳＩ４０に供給する。
【００２９】
表示部５２は、例えば、録画再生装置の前面等に配置された表示パネル等からなり、録画再生装置の動作状況を示す情報等を表示する。
【００３０】
ＶＩＤＥＯエンコーダ６１は、システムＬＳＩ４０（ＭＰＥＧ２デコーダ４３等）によって復号されたビデオデータから、アナログの映像信号をエンコードし、ＶＩＤＥＯアンプ６２に供給する。つまり、デジタルのビデオデータをアナログのビデオ信号に変換する。
また、ＶＩＤＥＯエンコーダ６１は、ＯＳＤ４６により生成されたログイン画面やユーザ管理メニュー画面等をビデオ信号に変換する。
【００３１】
ＶＩＤＥＯアンプ６２は、ＶＩＤＥＯエンコーダ６１から供給される映像信号を適宜増幅し、ＶｉｄｅｏＯｕｔ６３から出力する。
【００３２】
ＶｉｄｅｏＯｕｔ６３は、映像信号（ビデオ信号）の出力端子等からなり、所定の映像ケーブルを介して接続されたテレビモニタに、映像信号を供給する。
【００３３】
Ｄ／Ａ（Digital to Analog）コンバータ７１は、ビデオデータ等の音声データを、アナログの音声信号に変換し、ＡＵＤＩＯアンプ７２に供給する。
【００３４】
ＡＵＤＩＯアンプ７２は、Ｄ／Ａコンバータ７１から供給される音声信号を適宜増幅し、ＡｕｄｉｏＯｕｔ７３から出力する。
【００３５】
ＡｕｄｉｏＯｕｔ７３は、音声信号の出力端子等からなり、所定の映像ケーブルを介して接続されたテレビモニタ（スピーカ）に、音声信号を供給する。
【００３６】
以下、このような構成の録画再生装置の動作について、図４以降を順次参照して説明する。図４は、システムＬＳＩ４０（ＣＰＵ４２）にて実行されるユーザ管理メニュー表示処理を説明するためのフローチャートである。
このユーザ管理メニュー表示処理は、電源投入時に実行される。なお、各ユーザのユーザ名及びパスワード等が予め登録されており、ＲＡＭ４５に記憶されているものとする。また、各登録ユーザ（登録されたユーザ）について、最大録画可能時間がそれぞれ設定されており、ＲＡＭ４５に記憶されているものとする。
【００３７】
まず、システムＬＳＩ４０は、ログイン画面を生成してテレビモニタに表示する（ステップＳ１１）。
例えば、システムＬＳＩ４０（ＯＳＤ４６）は、図５に示すようなログイン画面を生成し、ＶＩＤＥＯエンコーダ６１等にて映像信号に変換した後、ＶｉｄｅｏＯｕｔ６３を介して接続されたテレビモニタに表示する。
【００３８】
システムＬＳＩ４０は、操作部５１からユーザによって入力されたユーザ名及びパスワードを取得する（ステップＳ１２）。
システムＬＳＩ４０は、ユーザを認証するか否かを判別する（ステップＳ１３）。つまり、入力されたユーザ名及びパスワードと、ＲＡＭ４５に記憶されたユーザ名及びパスワードとを比較し、一致するものがある場合にユーザを認証し、また、一致するものがない場合にユーザを認証しない。
【００３９】
システムＬＳＩ４０は、認証しない場合に、上述のステップＳ１１に処理を戻し、再度、ユーザ名及びパスワードの入力を求める。
一方、認証した場合に、システムＬＳＩ４０は、認証したユーザの識別子が付加された録画データを検索する（ステップＳ１４）。つまり、そのユーザを識別するための識別子をＲＡＭ４５から読み出し、ＨＤＤ３１に記録された録画データの中から、同じ識別子が付加された録画データを検索する。
【００４０】
システムＬＳＩ４０は、ＨＤＤ３１から検索された録画データから録画一覧情報を生成する（ステップＳ１５）。つまり、検索された録画データから、例えば、サムネイル画像、ジャンル、及び、タイトル等を取得して、そのユーザが録画した録画データの一覧情報を生成する。
【００４１】
システムＬＳＩ４０は、新たな録画に使用できる残り録画可能時間を算出する（ステップＳ１６）。つまり、システムＬＳＩ４０は、検索された各録画データの合計時間となる録画済時間（ビットレートが考慮され適宜算出される）を求め、そのユーザの最大録画可能時間から差し引いた時間を、残り録画可能時間として算出する。
【００４２】
そして、システムＬＳＩ４０は、これら録画一覧情報及び、残り録画可能時間を含むユーザ管理メニューを生成して、テレビモニタに表示する（ステップＳ１７）。
例えば、システムＬＳＩ４０（ＯＳＤ４６）は、図６に示すようなユーザ管理メニューを生成し、ＶＩＤＥＯエンコーダ６１等にて映像信号に変換して、テレビモニタに表示する。
【００４３】
このようなユーザ管理メニューには、ユーザ自身の録画した録画データだけが一覧表示され、また、そのユーザが新たに録画できる残り録画可能時間が表示される。
これにより、再生対象や削除対象となる録画データは、一覧表示される自身の録画データに限られるため、他のユーザの録画データを再生したり、削除したりすることがなくなる。また、ユーザが新たに録画できる残り時間も容易に把握できる。
つまり、他のユーザを意識せずに、あたかも自分一人が録画再生装置を単独で使用しているかのように、扱うことができる。そして、録画領域（ＨＤＤ３１）があたかもパーティションによって区切られているかのように使用できる。
この結果、複数のユーザによって共同で使用される場合に、各ユーザの使用内容を適切に制限することができる。
【００４４】
次に、図７及び図８を参照して、録画再生装置における録画時の動作について説明する。図７は、システムＬＳＩ４０（ＣＰＵ４２）にて実行される予約録画処理を説明するためのフローチャートであり、また、図８は、手動録画処理を説明するためのフローチャートである。これらの両処理は、操作部５１の操作に応答して開始される。
【００４５】
最初に、図７の予約録画処理について説明する。なお、この場合、ＨＤＤ３１を使用して録画を行うものとする。
【００４６】
まず、システムＬＳＩ４０は、操作部５１から予約録画の指示が入力されると、番組一覧をテレビモニタに表示し、ユーザにより指定された録画予約番組を取得する（ステップＳ２１）。なお、番組一覧は、例えば、アナログＴＶチューナ１１が、放送電波のすき間を使って送信されるテレビ番組表データを受信したものを、システムＬＳＩ４０が加工編集して生成される。そして、システムＬＳＩ４０は、操作部５１から任意に指定された番組を、録画予約の対象番組として取得する。
【００４７】
システムＬＳＩ４０は、指定された録画予約番組の録画時間を算出する（ステップＳ２２）。その際、システムＬＳＩ４０は、ＲＡＭ４５に記憶される録画ビットレートを適宜使用して録画時間を算出する。
【００４８】
システムＬＳＩ４０は、算出した録画時間が残り録画可能時間内であるか否かを判別する（ステップＳ２３）。つまり、現在の録画ビットレートでその録画予約番組を録画する場合に、ユーザの残り録画可能時間内に収まるかどうかを判別する。
【００４９】
システムＬＳＩ４０は、算出した録画時間が残り録画可能時間内でない（残り録画可能時間よりも大きい）と判別すると、録画可能時間の不足を報知する（ステップＳ２４）。つまり、所定の注意メッセージを生成してテレビモニタに表示する等により、録画可能時間の残量が足りない旨を、ユーザに報知する。
そして、システムＬＳＩ４０は、予約録画処理を終える。なお、予約録画処理を終えずに、再度ステップＳ２１に処理を戻して、別の録画予約番組を取得するようにしたり、また、録画ビットレートの変更や、自己の録画データの削除等を行った後に、再度ステップＳ２１に処理を戻すようにしてもよい。
また、後述する最大録画可能時間設定を要求し、ユーザによる設定が終了した後に再度ステップＳ２２に処理を戻すこともできる。この場合、設定画面に不足する時間を合わせて表示したり、不足する時間を予め加算した最大録画可能時間を表示したりすれば、ユーザによる設定が簡単にできる。
【００５０】
また、上述のステップＳ２３にて、算出した録画時間が残り録画可能時間内であると判別した場合に、システムＬＳＩ４０は、予約番組の放送に合わせて、番組録画を行う（ステップＳ２５）。例えば、システムＬＳＩ４０は、予約番組の情報（チャンネル、開始日時、終了日時等）及び、予約を行ったユーザの情報（識別子等）を含む予約データを作成し、この予約データに基づいて対象番組の放送開始から終了までを録画する。
【００５１】
システムＬＳＩ４０は、録画データに対象ユーザの識別子を付加する（ステップＳ２６）。つまり、ＨＤＤ３１に記録した録画データに、予約録画を指示したユーザの識別子を付加する。
【００５２】
このような予約録画処理により、ユーザの残り録画可能時間を超えて録画データがＨＤＤ３１に記録されることがなくなる。つまり、ユーザに割り当てられた最大録画可能時間内に限り、録画を行うことができる。
【００５３】
続いて、図８の手動録画処理について説明する。なお、この場合も、ＨＤＤ３１を使用して録画を行うものとする。
【００５４】
まず、システムＬＳＩ４０は、操作部５１から録画開始の指示が入力されると、番組録画を開始する（ステップＳ３１）。つまり、ユーザによる手動録画の指示に応じて、現在の放送番組の録画を開始する。
【００５５】
システムＬＳＩ４０は、録画時間を算出する（ステップＳ３２）。つまり、録画を行っている録画データについて、現時点までの録画時間を算出する。なお、この場合も、ＲＡＭ４５に記憶される録画ビットレートを適宜使用して録画時間を算出する。
【００５６】
システムＬＳＩ４０は、算出した録画時間が残り録画可能時間と等しくなったか否かを判別する（ステップＳ３３）。つまり、現時点までの録画データの録画時間が、ユーザの残り録画可能時間内に丁度収まるかどうかを判別する。
【００５７】
システムＬＳＩ４０は、算出した録画時間が残り録画可能時間と等しくなく、残り録画可能時間内であると判別すると、録画終了の指示があったか否かを判別する（ステップＳ３４）。つまり、ユーザによって操作部５１から、録画終了の指示が入力されたかどうかを判別する。
【００５８】
システムＬＳＩ４０は、録画終了の指示がないと判別すると、ステップＳ３２に処理を戻し、上述のステップＳ３２〜Ｓ３４の処理を繰り返し実行する。
【００５９】
また、上述のステップＳ３３にて、算出した録画時間が残り録画可能時間と等しくなったと判別すると、システムＬＳＩ４０は、録画の途中終了を報知する（ステップＳ３５）。つまり、所定の注意メッセージを生成してテレビモニタに表示する等により、録画可能時間を使い切ったため、録画を途中で終了する旨を、ユーザに報知する。
【００６０】
上述のステップＳ３４にて録画終了の指示があった場合、又は、上述のステップＳ３５にて録画終了を報知した場合（つまり、算出した録画時間が残り録画可能時間と等しくなった場合）に、番組録画を終了する（ステップＳ３６）。
【００６１】
そして、システムＬＳＩ４０は、録画データに対象ユーザの識別子を付加する（ステップＳ３７）。つまり、ＨＤＤ３１に記録した録画データに、録画を指示したユーザの識別子を付加する。
【００６２】
このような手動録画処理によっても、ユーザの残り録画可能時間を超えて録画データがＨＤＤ３１に記録されることがなくなる。つまり、ユーザに割り当てられた最大録画可能時間内に限り、録画を行うことができる。
【００６３】
すなわち、録画動作時に、ユーザの残り録画可能時間が参照され、その時間を超えないように、すなわち、ユーザに割り当てられた最大録画可能時間内に収まるように、制御される。
これにより、ユーザが記録容量を使いすぎることを防止できるため、あるユーザの記録容量の使いすぎにより、別のユーザが録画できないという不都合を無くすことができる。
この結果、複数のユーザによって共同で使用される場合に、各ユーザの使用内容を適切に制限することができる。
【００６４】
なお、上述した図８に示す手動録画処理では、ユーザが記録容量を使いすぎることを防止するため、残り録画可能時間を使い切ると、録画を途中で終了する場合について説明した。
しかしながら、残り録画可能時間が少ないことに気が付かずに、ユーザが手動録画を開始してしまう場合もある。そのような状況で、大切な（大事な）番組の録画が途中で終わってしまっては不都合があるため、代わりに未割り当て時間を使って番組録画を継続するようにしてもよい。
【００６５】
具体的に、残り録画可能時間を超えた録画、つまり、超過録画を可能とした手動録画処理について、図９を参照して説明する。この図９中において、図８と同じ値の参照符号の箇所は、処理内容が同じであるため、説明を省略する。そして、新たに追加した箇所を中心に説明する。
【００６６】
システムＬＳＩ４０は、同様にステップＳ３１から処理を開始する。そして、ステップＳ３３にて、算出した録画時間が残り録画可能時間と等しくなったと判別すると、システムＬＳＩ４０は、図８の手動録画処理と異なり、超過録画に移行した旨を報知する（ステップＳ４１）。つまり、残り録画可能時間を使い切ったものの、番組録画を依然継続中であることを、ユーザに報知する。
【００６７】
システムＬＳＩ４０は、超過録画時間を算出する（ステップＳ４２）。つまり、超過録画に移行してから、現時点までの録画時間を算出する。
システムＬＳＩ４０は、録画終了の指示があったか否かを判別し（ステップＳ４３）、指示がなければ、超過録画時間の算出を続けながら、番組録画を継続する。
【００６８】
そして、録画終了の指示があった場合に、システムＬＳＩ４０は、ステップＳ３６に処理を進める。なお、ステップＳ４２にて算出した超過録画時間が未割り当て時間と等しくなった場合（つまり、未割り当て時間も使い切った場合）に、システムＬＳＩ４０は、ステップＳ３６に処理を進めるものとする。
【００６９】
同様にステップＳ３６から処理を行い、ステップＳ３７にて、録画データに対象ユーザの識別子を付加すると、システムＬＳＩ４０は、超過録画があったか否かを判別する（ステップＳ４４）。つまり、残り録画可能時間を超えた番組録画を行ったかどうかを判別する。
【００７０】
システムＬＳＩ４０は、超過録画がないと判別すると、そのまま処理を終える。
一方、超過録画があったと判別した場合に、システムＬＳＩ４０は、最終的な超過録画時間を報知して、他の録画データの削除や最大録画時間の変更を促す（ステップＳ４５）。つまり、そのユーザが最大録画可能時間を超えて録画を行った状態であるため、他の録画データを削除して最大録画可能時間内に納めるか、最大録画可能時間そのものを増加させるかを選択させる。
【００７１】
このような超過録画を可能とした手動録画処理によって、一時的な超過録画を認め、大切な番組の録画を、残り録画可能時間を超えて行うことができ、ユーザの利便性を向上させることができる。
【００７２】
上述した超過録画を可能とした手動録画処理等でも触れたように、各ユーザに割り当てられた最大録画可能時間は、未割り当て時間が残っていれば、適宜増加させることができる。
例えば、システムＬＳＩ４０は、上述した図６に示すようなユーザ管理メニューにて、「最大録画可能時間設定」の「設定実行」が選択された際に、図１０に示すような最大録画可能時間の設定画面を表示し、そのユーザの最大録画可能時間を増減可能となる。
図１０の例の場合、未割り当て時間が残っているため、この時間の範囲内で、最大録画可能時間を増加させることができる。なお、最大録画可能時間を増加させた分だけ、未割り当て時間が減少されて表示されるものとする。
また、逆に、最大録画可能時間を減少させた場合、減少させた分だけ、未割り当て時間が増加されて表示されるものとする。
そして、図１０の「実行」が指示されると、そのユーザの最大録画可能時間の変更が確定し、システムＬＳＩ４０は、ＲＡＭ４５に記憶していた対象の最大録画可能時間及び、未割り当て時間をそれぞれ更新する。
【００７３】
上記の実施形態では、ユーザ名、パスワード、及び、最大録画可能時間等といったユーザの設定情報を、ＲＡＭ４５に記憶して管理する場合について説明したが、このような情報の格納場所は一例であり、他の格納場所に記憶するようにしてもよい。
例えば、これらユーザの設定情報をＨＤＤ３１に記録して管理するようにしてもよい。
【００７４】
上記の実施形態では、ＨＤＤ３１やＤＶＤレコーダ３２に録画データを記録する場合について説明したが、記録媒体はこれらに限られず任意である。
例えば、Ｂｌｕ−ｒａｙ（登録商標）等の次世代記録媒体に録画データを記録する場合にも、適宜適用可能である。
【００７５】
以上説明したように、本発明によれば、複数のユーザによって共同で使用される場合に、各ユーザの使用内容を適切に制限することができる。
【図面の簡単な説明】
【００７６】
【図１】本発明の実施形態に適用される録画再生装置の構成の一例を示す模式図である。
【図２】ＨＤＤ等に記録される識別子が付加された録画データを説明するための模式図である。
【図３】（ａ）がＲＡＭに記憶される各ユーザの最大録画可能時間及び未割り当て時間の関係を説明するための模式図であり、（ｂ）が最大録画可能時間における録画済時間と残り録画可能時間との関係を説明するための模式図である。
【図４】本発明の実施形態に適用されるユーザ管理メニュー表示処理を説明するためのフローチャートである。
【図５】ログイン画面の一例を示す模式図である。
【図６】ユーザ管理メニューの一例を示す模式図である。
【図７】本発明の実施形態に適用される予約録画処理を説明するためのフローチャートである。
【図８】本発明の実施形態に適用される手動録画処理を説明するためのフローチャートである。
【図９】本発明の実施形態に適用される超過録画を可能とした手動録画処理を説明するためのフローチャートである。
【図１０】最大録画可能時間の設定画面の一例を示す模式図である。
【符号の説明】
【００７７】
１１  アナログＴＶチューナ
１２  Ａ／Ｄコンバータ兼Ｖｉｄｅｏデコーダ
１３  ＭＰＥＧエンコーダ
１４  ＳＤＲＡＭ
２１  デジタルＲＦ
２２  チャンネルデコーダ
３１  ＨＤＤ
３２  ＤＶＤレコーダ
４０  システムＬＳＩ
４１  ＡＴＡインタフェース
４２  ＣＰＵ
４３  ＭＰＥＧ２デコーダ
４４  ストリームプロセッサ
４５  ＲＡＭ
４６  ＯＳＤ
５１  操作部
５２  表示部
６１  ＶＩＤＥＯエンコーダ
６２  ＶＩＤＥＯアンプ
６３  ＶｉｄｅｏＯｕｔ
７１  Ｄ／Ａコンバータ
７２  ＡＵＤＩＯアンプ
７３  ＡｕｄｉｏＯｕｔ
【図１】
0004645500.tif 000002
【図２】
0004645500.tif 000003
【図３】
0004645500.tif 000004
【図４】
0004645500.tif 000005
【図５】
0004645500.tif 000006
【図６】
0004645500.tif 000007
【図７】
0004645500.tif 000008
【図８】
0004645500.tif 000009
【図９】
0004645500.tif 000010
【図１０】
0004645500.tif 000011